(57)【要約】      （修正有）【課題】回転刃間にシート材が詰まることを回避し、回転刃に切り屑が付着するのを防止できる裁断機の回転刃構造を提供する。【解決手段】シートの搬送方向に直交する方向に伸びる回転軸５２に複数の丸刃５３ａ，５３ｂを設けて構成された第１の回転刃５１ａと、該第１の回転刃と対向配置されて逆方向に回転する第２の回転刃５１ｂとを有し、夫々の丸刃が相互に摺接することによってシートを裁断する。丸刃の摺接される周縁部を露出させた状態で回転刃の夫々を覆う第１及び第２のカバー部材５４ａ，５４ｂを、丸刃の形状に対応する凹部５７ａ，５７ｂを有する樹脂製の部材で構成した。【選択図】図６
0003155520.tif 000002
【実用新案登録請求の範囲】
【請求項１】
シートの搬送方向に直交する方向に伸びる回転軸（５２）に複数の丸刃（５３）を設けて構成された第１の回転刃（５１ａ）と、該第１の回転刃(５１ａ)とシートの搬送路を挟んで対向配置されて前記第１の回転刃(５１ａ)とは逆方向に回転する第２の回転刃(５１ｂ)と、を有し、夫々の回転刃(５１ａ，５１ｂ)の前記丸刃（５３ａ，５３ｂ）が相互に摺接することによってシートを裁断する裁断機（２）において、
前記丸刃（５３ａ，５３ｂ）の摺接される周縁部を露出させた状態で前記第１及び第２の回転刃（５１ａ、５１ｂ）の夫々を覆う第１及び第２のカバー部材（５４ａ，５４ｂ）を、前記丸刃（５３ａ，５３ｂ）の形状に対応する凹部（５７ａ，５７ｂ）を有する樹脂製の部材で構成したことを特徴とする裁断機の回転刃構造。
【請求項２】
前記回転刃（５１）は、前記丸刃（５３）を等間隔に配して構成され、
前記カバー部材（５４）は、１つの丸刃（５３）を収容する前記凹部（５７）を有する単位ケース（５４’）を複数連結して構成されたことを特徴とする請求項１に記載の裁断機の回転刃構造。
【請求項３】
前記回転軸（５２）は少なくとも1つの角部を有する断面形状を有し、前記丸刃（５３）は前記回転軸（５２）の断面形状に対応する形状の軸孔（５６）を有し、前記単位ケース（５４’）に収容された状態の前記丸刃（５３）を、前記回転軸（５２）に順次挿通することで前記回転刃（５１）を構成したことを特徴とする請求項２に記載の裁断機の回転刃構造。
【請求項４】
前記丸刃（５３）を収容した第１及び第２のカバー部材（５４ａ、５４ｂ）を、幼児の指の厚みよりも狭い間隙をあけて並列配置したことを特徴とする請求項１〜請求項３のいずれか１つの請求項に記載の裁断機の回転刃構造。
【考案の詳細な説明】
【技術分野】
【０００１】
本考案は、紙やコンパクトディスク等のシート材を細かく裁断するためのシュレッダー、或いは名刺などのカード類を所定の大きさに裁断するためのカード裁断機など、回転刃によってシート材を裁断する裁断機の回転刃構造に関し、特に、刃の間にシート材が詰まることを回避すると共に、回転刃に切り屑が付着するのを防止できる回転刃構造に関する。
【背景技術】
【０００２】
回転刃によってシート材を裁断する構造の裁断機においては、回転刃にシートが巻き込まれて紙詰まりなどが生じないようにするための技術が各種提案されている。
例えば、回転刃によってシートを搬送しながら細断するシュレッダーにおいては、特許文献１に示すように、丸刃の間にクランプ状の巻き込み防止ガイド体を挟み込み、該巻き込み防止ガイド体で回転軸の外面の半円領域を被うことで、シート材が丸刃間に回り込むのを防止する技術が提案されている。
【０００３】
また、シート材を縦方向及び横方向に裁断することによって所定形状のカード等を作成するカード裁断機においては、特許文献２に示すように、隣接する丸刃間に挟まった帯状の切りくずを、先の尖った切屑落し片で筋づけし、幅狭状態にして切りくずを山型４７に屈折させて落下させる技術、或いは、特許文献３に示すように、丸刃の回転に伴って切り屑が回り込まないようにガイド部材によって外部へと導く技術が提案されている。
【特許文献１】特開２０００−３５４７８４号公報
【特許文献２】特開平１０−１４６７９６号公報
【特許文献３】特開２００５−３４９６２号公報
【考案の開示】
【考案が解決しようとする課題】
【０００４】
しかしながら、特許文献１に開示の技術は、巻き込み防止ガイドによって丸刃間へのシート材の回り込みは防止できるものの、丸刃を覆う部材がないので、細かい切り屑が飛散した場合、丸刃に付着したり、丸刃とガイドとの隙間に切子が入り込む可能性がある。
【０００５】
また、特許文献２に開示の技術では、丸刃間に挟まった切り屑を、切屑落し片の尖った先端で筋づけして幅狭にして落下させるので、切屑落し片の長さや尖らせ具合等を正確に設計しなければならないし、切屑落し片の先端が最適な位置にくるように取付け位置を正確に設定しなければならない。
【０００６】
さらに、特許文献３に開示の技術も、特許文献1の技術と同様、切り屑の回り込みを防止するのには効果的であるが、細かい切り屑が飛散した場合、切り屑が丸刃に付着したり、丸刃とガイド部材との隙間に入り込む可能性がある。
【０００７】
そこで、本考案は、回転刃によってシート材を裁断する裁断機において、刃の間にシート材が詰まることを回避すると共に、回転刃に切り屑が付着するのを防止できる裁断機の回転刃構造の提供を目的とする。
【課題を解決するための手段】
【０００８】
上記課題を解決するために、本考案に係る裁断機の回転刃構造は、シートの搬送方向に直交する方向に伸びる回転軸に複数の丸刃を設けて構成された第１の回転刃と、該第１の回転刃とシートの搬送路を挟んで対向配置されて前記第１の回転刃とは逆方向に回転する第２の回転刃と、を有し、夫々の回転刃の前記丸刃が相互に摺接することによってシートを裁断する裁断機において、前記丸刃の摺接される周縁部を露出させた状態で前記第１及び第２の回転刃の夫々を覆う第１及び第２のカバー部材を、前記丸刃の形状に対応する凹部を有する樹脂製の部材で構成したことを特徴とするものである。
【０００９】
この場合、前記回転刃は、前記丸刃を等間隔に配して構成され、前記カバー部材は、１つの丸刃を収容する前記凹部を有する単位ケースを複数連結して構成されたものであってもよい。
また、前記回転軸は少なくとも1つの角部を有する断面形状を有し、前記丸刃は回転軸の断面形状に対応する形状の軸孔を有し、前記単位ケースに収容された状態の前記丸刃を、前記回転軸に順次挿通することで前記回転刃を構成してもよい。
また、前記丸刃を収容した第１及び第２のカバー部材を、幼児の指の厚みよりも狭い間隙をあけて並列配置してもよい。
【考案の効果】
【００１０】
請求項１に係る回転刃構造は、回転軸に複数の丸刃を設けて構成された第１の回転刃と、第１の回転刃と対向配置されて逆方向に回転する第２の回転刃とを有し、夫々の回転刃の丸刃が相互に摺接することによってシートを裁断する裁断機において、丸刃の摺接される周縁部を露出させた状態で回転刃の夫々を覆うカバー部材を樹脂製の部材で構成したので、万一、丸刃がカバー部材に接触した場合であっても、丸刃の破損を防止できるので、丸刃とカバー部材との間の隙間を限りなく小さくすることが可能となる。
これによって、丸刃に付着した裁断屑や切子をカバー部材の縁部で掻き落とすことができるので、回転刃間にシート材が詰まることを回避することができる。
【００１１】
請求項２に係る回転刃構造は、回転刃は丸刃が等間隔に配されたものであり、カバー部材を、１つの丸刃を収容する凹部を有する単位ケースを複数連結することによって構成したので、裁断機のサイズに応じた回転軸を用意し、その回転軸の長さに合せて丸刃と単位ケースとのセットを連結していくことで、様々なサイズの裁断機を製造することが可能となる。これによって、裁断機のサイズに応じた部品を製造する負担が軽減されるので、低コストで多種の裁断機を製造することができる。
【００１２】
請求項３に係る回転刃構造は、回転軸は少なくとも1つの角部を有する断面形状を有し、丸刃は回転軸の断面形状に対応する形状の軸孔を有するので、回転軸に丸刃を挿通するだけで、丸刃を回転軸に固定させることができる。この際、丸刃と単位ケースとの間には殆ど隙間がない状態なので、丸刃は単位ケースによって位置決めされながら、回転軸に順次挿通されていく。
これによって、回転方向に動かないように丸刃を回転軸に固定できると共に、回転軸の軸線方向に動かないように固定することもできるので、ビスやネジで丸刃を回転軸に対して固定する必要がなくなる。
【００１３】
請求項４に係る考案は、丸刃を収容した第１及び第２のカバー部材を、幼児の指の厚みよりも狭い間隙をあけて並列配置したので、作業者の指などが直接刃先に触れることがないようにできる。
これによって裁断機の安全性を高めることができる。
【考案を実施するための最良の形態】
【００１４】
本考案の好適な実施形態を、添付図面に基づいて説明する。なお、実施形態は以下の形態に限定されるものではなく、本考案の課題を解決し得るものであれば、他の態様も可能である。
【００１５】
図１は、本考案の実施形態に係る裁断機の回転刃構造１の回転刃を示す斜視図である。この回転刃構造１は、図２に示すシュレッダー２の細断部５に適用されるものである。
先ず、本考案に係る投入口構造１が適用されるシュレッダー２について説明する。
このシュレッダー２は、紙やコンパクトディスクなどのシート状の物を細断するものであり、投入口３から投入された被細断物を、ハウジング内部に設けられた細断部５で細かく裁断し、細断部５の下方に設けられた屑収容箱６に排出するようになっている。
【００１６】
シュレッダー２のハウジングは、ハウジング本体４と壁面部材１０とによって構成されており、ハウジング本体４の正面側からハウジング内部に向かう導入面４１と、ハウジング本体４の背面側に取り付けられた壁面部材１０との間の間隙（即ち、投入口３）に被細断物を挿入するようになっている。
即ち、図３に示すように、ハウジング本体４の上面は、背面側の領域が大きく開口されており、正面側から中央部に向けて導入面４１が形成されている。この導入面４１は、ハウジング内部に向けて滑らかに湾曲する曲面からなる。
【００１７】
このハウジング本体４の導入面４１を覆うように、図４に示す壁面部材１０が取り付けられている。
壁面部材１０は、ハウジング本体４に取り付けられた際に、その上面部１１において投入口３に向かう壁面を構成し、投入口側１２の裏面部に形成された通路面１４とハウジング本体４の導入面４１とによって所定幅の通路９を形成するものである。
【００１８】
壁面部材１０が取り付けられる背面部側１３の裏面部には、嵌合凹部１５と階段部１６が形成されている。
この嵌合凹部１５は、図５（ａ）に示すように、後述するロック部材２０の嵌合凸部２１を収容することで、壁面部材１０とロック部材２０との嵌合状態を維持させるための部位であり、その両側に隣接する階段部１６，１６は、後述するロック部材２０の係止部２２に、夫々の段差部が係止しながら移動することで、通路９を段階的に拡幅させるための部位である。
【００１９】
この階段部１６，１６の段差は、所定値以上の外力によって跳び越え可能な程度の高さ（例えば１ｍｍ程度）に設計されており、壁面部材１０がハウジング本体４に取り付けられた初期状態においては、図５（ｂ）に示すように、壁面部材１０の取り付け側に位置する始段部１６ａに係止部２２が係止され、壁面部材１０が背面部側１３に向けて変位することによって、階段部１６の夫々の段差が係止部２２に係止していき、ロック部材２０の嵌合凸部２１が壁面部材１０の嵌合凹部１５の内壁１５ａに当接することによって、壁面部材１０の変位量を規制できるようになっている。
【００２０】
ロック部材２０は、ハウジング本体４に壁面部材１０を着脱可能に取り付けるためのもので、上縁部の中央に嵌合凸部２１を突設し、その両側に係止部２２，２２を形成している。嵌合凸部２１は、壁面部材１０の嵌合凹部１５と嵌合する部位で、係止部２２，２２は、壁面部材１０の階段部に係止される部位である。
【００２１】
ロック部材２０は、嵌合凸部２１を上方に向けた状態でハウジング本体４の側壁面の内側に配設されており、嵌合凸部２１が壁面部材１０の嵌合凹部１５に嵌め込まれることによって、壁面部材１０がハウジング本体４に取り付けられる（図５（ａ）参照）。この際、ロック部材２０の係止部２２は壁面部材１０の階段部１６の始段部１６ａに位置することとなる（図５（ｂ）参照）。
ロック部材２０には、スプリング３０を収容するための空間部が形成されており、その反対側の面に、スプリング３０，３０によって上方に付勢されたロック部材２０を下方に変位させるための操作部２４が形成されている。
【００２２】
ハウジング本体４には、スプリング３０を取り付けるための取付部３１と、その近傍に小さな孔３２が設けられており、この孔３２からロック部材２０の操作部２４がハウジング外部に露呈されるようになっている。
スプリング３０の下端部をハウジング本体４の取付部３１に取り付け、ロック部材２０の空間部に収容することで、ロック部材２０が上方に付勢され、嵌合凸部２１が壁面部材１０の嵌合凹部１５と嵌合する。
【００２３】
ロック部材２０と壁面部材１０との嵌合状態を解除する場合は、ロック部材２０の操作部２４を下方に押し下げる。そして、操作部２４を押し下げた状態で、壁面部材１０を斜め上方に持ち上げることで、ロック部材２０の嵌合凸部２１が壁面部材１０の嵌合凹部１５から抜け出して、通路の幅が大きく拡幅される。
ハウジング本体４の内壁面には、壁面部材１０の変位を検出するマイクロスイッチ８が取り付けられており、壁面部材１０の変位によって通路９が拡幅された際に、後述する回転刃５１，５８が停止されるようになっている。
【００２４】
ハウジング内部においては、投入口３から細断部５へと向かう通路９が形成されており、通路９の下方に、細断処理を行うための細断部５がフレーム７に固定されて配設されている。
細断部５は、被細断物を縦方向に裁断するスリット用の回転刃５１と、斜め方向に裁断するクロスカット用回転刃５８とからなるものであるが、本考案に係る回転刃構造１は、このスリット用の回転刃５１に適用されるものである。
【００２５】
以下、本実施形態に係る回転刃構造１を詳述する。
投入口３からの通路９に連続して配置される回転刃５１は、図６に示すように、２つの回転刃５１ａ、５１ｂを、回転刃ケース５４ａ，５４ｂに収容した状態で対向配置されている。
この回転刃構造１は、シートの搬送方向に直交する方向に伸びる回転軸５２ａに複数の丸刃５３ａを設けて構成された第１の回転刃５１ａと、この回転刃５１ａとシートの搬送路を挟んで対向配置されて回転刃５１ａとは逆方向に回転する第２の回転刃５１ｂとを有し、夫々の回転刃５１ａ，５１ｂの丸刃５３ａ，５３ｂが相互に摺接することによってシートを裁断するものである。即ち、回転刃５１ａ，５１ｂは、図１に示すように、回転軸５２にディスク状の丸刃５３を等間隔に配設したものであり、軸線方向を水平にして並列されている。
【００２６】
この回転刃５１ａ、５１ｂは、カバー部材としての回転刃ケース５４ａ，５４ｂによって覆われている。この場合、回転刃ケース５４ａ，５４ｂは、ディスク状の丸刃５３ａ，５３ｂの形状に対応する凹部５７ａ，５７ｂを有し、丸刃５３ａ，５３ｂの摺接される周縁部を露出させた状態で回転刃５１ａ、５１ｂを覆っている。
即ち、この回転刃ケース５４ａ，５４ｂは、図７に示す、１つの丸刃５３が収容される凹部５７を有する単位ケース５４’を、凹部５７を同方向に向けた状態で複数接合することによって構成されたものである。この場合、単位ケース５４’の凹部５７は、丸刃５３を収容した際に丸刃５３の周縁部がケースから一部露出されるような形状に形成されており、その露出された丸刃５３ａ，５３ｂの周縁部が相互に接触されるように、２本の回転刃５１ａ，５１ｂが並列配置されることとなる。
【００２７】
即ち、単位ケース５４’の凹部５７は、丸刃５３の一部を欠いた形状の底面部６０と、丸刃５３の周縁に対応する優弧状に湾曲する内壁面６１を有するものであり、図８に示すように、丸刃５３が収容されることによって、単位ケース５４’の端面６２から丸刃５３が僅かに露出するようになっている。なお、内壁面６１の高さ（即ち、凹部５７の深さ）は、２本の回転刃５１ａ，５１ｂを並列させた際に、双方の丸刃５３ａ，５３ｂの周縁部が相互に接触されるように、単位ケースの幅の１／２となっている。
単位ケース５４’の凹部５７の底面部６０には、後述する回転軸５２が挿通される軸孔６３が設けられており、隅部には、後述する連結棒７０が挿通される挿通孔７１が設けられている。
【００２８】
この単位ケース５４’は、ＡＢＳ樹脂（アクリルニトリル・ブタジエン・スチレン樹脂）、ＰＯＭ樹脂（ポリオキシメチレン樹脂）等の硬質な合成樹脂によって成形されている。このように、回転刃ケース５４を合成樹脂製の材料で形成することによって、回転刃５１が回転刃ケース５４に接触した場合であっても、刃先が破損することがないので、丸刃５３と凹部５７との間に隙間が殆ど生じないような形状に成型することが可能となる。
これによって、細断中に丸刃５３の刃先に細断屑や切子が付着した際に、回転刃ケース５４の端面６２において細断屑等が掻き落とされるので、刃とケースの間に細断屑が詰まるのを防止できる。
【００２９】
この場合、回転刃ケース５４に覆われた回転刃５１を並列配置した際に、夫々の回転刃ケース５４ａ，５４ｂの間の隙間Ｍが、幼児の指の厚みよりも狭くなるように、単位ケース５４’の凹部５７を構成する。
なお、指の厚みとは、図９に示す長さＮであり、例えば２ｍｍ程度の隙間Ｍに設計するのが好ましい。また、幼児とは、１〜５才児程度を想定している。
このように、回転刃５１ａ，５１ｂを並列配置した際に、丸刃５３ａ，５３ｂの刃先が相互に接触した状態で露出される空間部を幼児の指が入らないような隙間Ｍとすることで、作業者の指が回転刃５１に直接触れることがないようにしている。
【００３０】
なお、回転刃５１の丸刃５３は如何なる構成であってもよいが、本実施形態の場合は、図１０に示すように、周面に鋭利な刃部を有する薄刃５５をディスク状のスペーサの両側に貼り付けて構成した。対向配置された夫々の薄刃５５の周縁部において被細断物を巻き込みながら縦方向に裁断するようになっている。
丸刃５３の中心には、回転軸５２の断面形状と同一形状の軸孔５６が開設されており、単位ケース５４’に収容された状態の丸刃５３を、図１１に示すように、回転軸５２に順次差し込んでいくことによって、図１の回転軸５２に複数の丸刃５３が等間隔に配された状態で回転刃カバー５４によって覆われた状態の回転刃５１が構成される。
【００３１】
なお、本実施形態においては、回転軸５２の断面形状を六角形に形成したが、丸刃５３が回転方向に動かないように、少なくとも１つの角部や突起部が存在する形状であればよく、例えば三角形や四角形等の多角形、又は半円形状等でもよい。
また、丸刃５３を収容した状態の単位ケース５４’を連結する際は、図１１に示すように、単位ケース５４’の連結孔７１を連結棒７０に挿通させながら回転軸５２に差し込んでいく。そして、回転刃５１の回転軸５２をフレーム７２の軸孔７３に回転可能に軸支させると共に、取り付けフレーム７に設けられた小孔７４に挿入された連結棒７０をビス７５で固定することによって、連結された複数の単位ケース５４’が固定され、中実の樹脂製部材に複数の凹部５７を設けた状態の回転刃カバー５４を構成することができる。
【００３２】
このような回転刃５１を２本製造し、露出された丸刃５３ａ，５３ｂの周縁部が相互に接触されるように、交互に配置することによって（図６参照）、本実施形態に係る回転刃構造１を製造することができる。この場合、フレーム７２の軸孔７３は、夫々の回転軸５２ａ、５２ｂが軸支された際に、夫々の丸刃の刃先が摺接するような間隔で開設されている。
【００３３】
スリット用の回転刃５１の下方には、この回転刃５１によって縦方向に裁断された被細断物を斜め方向に切断するためのクロスカット用回転刃５８が配設されており、その下方に、屑収集箱６が引き出された際に生じた空間部から手が回転刃５８の方向に挿入されるのを防止するためのガード部材５９が配設されている（図２参照）。
夫々の回転刃５１，５８は、導入面４１に設けられた図示しないセンサが被細断物の通過を検知することによって回転される。これらの回転刃５１，５８を回転させるための駆動モータは、ハウジング本体４に設けられた図示しない電源スイッチをＯＮにすることによって閉じる電源回路に接続されている。
【００３４】
上記構成のシュレッダー２の使用状態を説明する。
細断作業を行う際には、図５の状態の投入口３に、被細断物を投入する。被細断物は導入面４１を滑り落ち、ハウジング内部の回転刃５１に巻き込まれながら縦方向に裁断される。そして、クロスカット用回転刃５８で斜め方向に裁断されることによって細かく裁断されていく。
【００３５】
この際、被細断紙と共に指などが投入口３に挿入されそうになった場合は、壁面部材１０に対して水平方向に外力が加わるので、壁面部材１０の階段部１６の段差が係止部２２に係止し（図１２（ｂ）参照）、被細断物の通路９が少し拡幅される。通路９が拡幅されることによって作業者は、指に引き抜くこととなるが、この際、通路９が拡幅されているので、容易に指を引き抜くことができる。
【００３６】
万一、被細断物９と共に指が勢いよく挿入されてしまった場合、壁面部材１０に対して大きな外力が加わるので、壁面部材１０の階段部１６の夫々の段差が、ロック部材２０の係止部２２に係止ししつつ移動し（図１３（ｂ）参照）、被細断物の通路９が大きく拡幅される。
このように、通路９が大きく拡幅された場合であっても、図１３（ａ）に示すように、壁面部材１０とロック部材２０との嵌合が維持された状態であり、壁面部材１０の移動範囲が規制されているので、壁面部材１０が過度に離反し、その隙間から指が勢いよく進入するのを防止できる。
【００３７】
また、指がハウジング内部に勢い良く入ってしまった場合でも、回転刃５１が回転刃カバー５４で覆われており、丸刃５３ａ，５３ｂの刃先が相互に接触した状態で露出される空間部が幼児の指が入らないような隙間Ｍであるので、侵入した指は丸刃５３に直接触れることはない。これによって、シュレッダー２の投入口３における安全性を高めることができる。
【００３８】
細断作業中に、被細断物が細断刃５１に噛み込まれてしまった場合は、図１４（ａ）に示すように、ロック部材２０の操作部２４を下方に押し下げることによって、スプリング３０を圧縮させて、嵌合凹部１５から引き抜かれる位置まで、ロック部材２０の嵌合凸部２１を下降させる。そして、壁面部材１０を更に斜め上方に移動させ、図１４（ｂ）に示すロック解除位置で停止させる。このようにして壁面部材１０とロック部材２０との嵌合状態を解除することができるので、壁面部材１０をハウジング本体４に対して大きく離反させ、噛み込まれた被細断物を取り除くことが可能となる。
また、丸刃５３が消耗した場合は、単位ケース５４’に収容された状態の丸刃５３を回転軸５２から取り外し、新たな丸刃５３と取り換えることで、容易にメンテナンスができる。
【００３９】
なお、本考案において、単位ケース５４’の連結は、図１５に示すように、単位ケース５４’の凹部５７が設けられた面に嵌合部７６を設け、その裏側に、隣接する単位ケースの嵌合部に嵌合する被嵌合部７７を設けてもよい。
また、図１６に示すように、裁断機のスリッターユニットに本考案の回転刃構造１’、１”を適用してもよい。
【００４０】
このスリッターユニットは、一方の回転軸１５２に複数の厚刃１５３を設け、対向配置されて逆方向に回転する他方の回転軸２５２に複数の薄刃２５３を設け、厚刃１５３と薄刃２５３が相互に摺接することによってシートを裁断するものであるが、例えば、上方の回転刃構造１’のように、厚刃１５３や送りローラ１５５の形状に応じた凹部１５７が設けられた一体成形型の回転刃カバー１５４であってもよいし、下方の回転刃構造１”のように、薄刃２５３が配設される部分のみを覆う回転刃カバー２５４であってもよい。
また、回転軸は、円柱状であってもよい。この場合、夫々の丸刃は、ネジやビスによって回転軸に固定される。
さらに、回転刃カバーによって覆われた一対の回転刃は、幼児の指の厚みよりも広い間隙をあけて並列配置されていてもよい。
【産業上の利用可能性】
【００４１】
本考案は、家庭用、事務用、工業用等のあらゆる産業分野で使用される裁断機の回転刃に適用することができる。
【図面の簡単な説明】
【００４２】
【図１】本考案の実施形態に係る裁断機の回転刃構造を示す斜視図である。
【図２】上記回転刃構造が適用される裁断機の横方向中央部を切断した状態を示す断面斜視図である。
【図３】上記裁断機の壁面部材を取外した状態を背面側から見た断面斜視図である。
【図４】壁面部材を示す斜視図である。
【図５】上記裁断機の投入口の構造を示す断面図であり、（ａ）は横方向中央部を切断した状態を示し、（ｂ）は図２におけるＡ−Ａを切断した状態を示す。
【図６】上記回転刃構造を示す説明図である。
【図７】単位ケースの構成を示す斜視図である。
【図８】上記単位ケースに収容された状態の丸刃を示す斜視図である。
【図９】指の厚みを示す説明図である。
【図１０】丸刃の構成を示す斜視図である。
【図１１】回転刃の組み付け方法を示す斜視図である。
【図１２】裁断機の投入口に厚みのある物が挿入された状態を示し、（ａ）は裁断機の横方向中央部を切断したもので、（ｂ）はその近傍を切断したものである。
【図１３】投入口に指などが挿入されて押圧部材に大きな外圧が加わった際の状態を示し、（ａ）は裁断機の横方向中央部を切断したもので、（ｂ）はその近傍を切断したものである。
【図１４】ロック部材を解除する状態を示し、（ａ）は、ロック解除操作時における裁断機の横方向中央部を切断したもので、（ｂ）は、壁面部材をハウジングから大きく引き引き離した状態において、中央部近傍を切断したものである
【図１５】本考案に係る回転刃構造の変形例を示す正面図である。
【図１６】本考案に係る回転刃構造の他の変形例を説明図である。
【符号の説明】
【００４３】
１・・・回転刃構造
２・・・シュレッダー（裁断機）
３・・・投入口
４・・・ハウジング本体
５・・・細断部
６・・・屑収容箱
７・・・フレーム
９・・・通路
１０・・・壁面部材
１１・・・上面部
１２・・・投入口側
１３・・・背面部側
１４・・・通路面
１５・・・嵌合凹部
１６・・・階段部
２０・・・ロック部材
２１・・・嵌合凸部
２２・・・係止部
２４・・・操作部
３０・・・スプリング
３１・・・取付部
３２・・・孔
４１・・・導入面
５１・・・回転刃  
５２、１５２、２５２・・・回転軸  
５３、１５３、２５３・・・丸刃
５４、１５４、２５４・・・回転刃ケース（ケース部材）
５４’・・・単位ケース
５５・・・薄刃
５６・・・軸孔
５７・・・凹部
５８・・・クロスカット用回転刃
５９・・・ガード部材
６０・・・底面部
６１・・・内壁面
６２・・・端面
６３・・・軸孔
７０・・・連結棒
７１・・・挿通孔
７２・・・フレーム
７３・・・軸孔
７４・・・小孔
７５・・・ビス
７６・・・嵌合部
７７・・・被嵌合部
【図１】
0003155520.tif 000003
【図２】
0003155520.tif 000004
【図３】
0003155520.tif 000005
【図４】
0003155520.tif 000006
【図５】
0003155520.tif 000007
【図６】
0003155520.tif 000008
【図７】
0003155520.tif 000009
【図８】
0003155520.tif 000010
【図９】
0003155520.tif 000011
【図１０】
0003155520.tif 000012
【図１１】
0003155520.tif 000013
【図１２】
0003155520.tif 000014
【図１３】
0003155520.tif 000015
【図１４】
0003155520.tif 000016
【図１５】
0003155520.tif 000017
【図１６】
0003155520.tif 000018